(57)【要約】【課題】スペース効率よく複数の基板保持部材を隣接状態で配設し得ると共に、各基板保持部材を単独で着脱可能な遊技機を提供する。【解決手段】設置面２６に第１基板ケース３０および第２基板ケース４０を隣接状態で配設する。ここで、第１基板ケース３０の左壁部３１ｃには、第２基板ケース４０に対向する突起部３３を形成すると共に、設置面２６には、設置面２６における第２基板ケース４０の配設位置へ第１基板ケース３０を近接させることで突起部３３に係合し、該第２基板ケース４０の配設位置から第１基板ケース３０を離間させることで突起部３３から離脱する第１突出部２７を突設する。そして、第２基板ケース４０における設置面２６との対向面に、第１基板ケース３０の左壁部３１ｃ側に開口する収容部４３を凹設し、第２基板ケース４０を設置面２６に配設した際に、突起部３３および第１突出部２７が収容部４３の内側に臨むようにした。【選択図】図２
2006122345.tif 000002
【特許請求の範囲】
【請求項１】
各種基板を保持する第１の基板保持部材および第２の基板保持部材が、機裏側に形成した設置部に隣接状態で着脱自在に配設される遊技機において、
前記第１の基板保持部材の側部に形成され、前記設置部へ配設した際に前記第２の基板保持部材に対向する第１係合部と、
前記設置部に突設され、該設置部における第２の基板保持部材の配設位置へ第１の基板保持部材を近接させることで前記第１係合部に係合し、該第２の基板保持部材の配設位置から第１の基板保持部材を離間させることで第１係合部から離脱する第２係合部と、
前記第２の基板保持部材における設置部との対向面に凹設されて前記第１の基板保持部材の側部側に開口し、該第２の基板保持部材を設置部へ配設した際に、前記第１係合部および第２係合部を内側に臨ませる収容部とを備える
ことを特徴とする遊技機。
【請求項２】
前記第２の基板保持部材は、保持する基板と略整合する大きさに形成され、該基板における前記設置部側に前記収容部が位置するよう構成した請求項１記載の遊技機。
【請求項３】
前記第２の基板保持部材における前記収容部には、前記第１の基板保持部材に対向する位置に第３係合部が形成され、前記設置部には、前記第３係合部と係脱自在に係合し、該第３係合部との係合時に前記収容部に収容される第４係合部が突設される請求項１または２記載の遊技機。
【請求項４】
前記第１の基板保持部材および第２の基板保持部材は、弾性変形可能なフック部材を介して前記設置部に着脱自在に取付けられる請求項１〜３の何れかに記載の遊技機。
【発明の詳細な説明】
【技術分野】
【０００１】
本発明は、所要の基板を保持した第１の基板保持部材および第２の基板保持部材を、機裏側に設けた設置部に隣接状態で着脱自在に配設するよう構成された遊技機に関するものである。
【背景技術】
【０００２】
例えば、代表的な遊技機の一例であるパチンコ機は、その裏側にパチンコ機全体を制御する主制御基板や、パチンコ球の払出しを制御する払出制御基板、その他音声を制御する音声制御基板等の多数の制御基板を備えると共に、各制御基板間や、制御基板と制御対象の電気部品、あるいはパチンコ機と機外設備とを中継接続する各種中継基板を備えている。そして、これらの各種基板を、所要の基板ケース(基板保持部材)に収容保持したもとで、各基板ケースに対応して設けた所定の設置部に取付けるようになっている。ここで、パチンコ機に設置可能な各種部材には限界があることから、前記各基板ケースをできる限りコンパクトに配置することが望まれる。そこで、例えば特許文献１には、前記設置部に２つの基板ケースを隣接状態で配設するに際し、両基板ケースをできる限り近接させることで、スペース効率の向上を図る構成が開示されている。
【０００３】
特許文献１において隣接状態で配設する２つの基板ケース(以下、第１基板ケースと第２基板ケースという)は、その上端縁に段差状係合片が突設され、下端縁に係合突部が突設されている。一方、前記第１および第２基板ケースを取付ける取付部材(設置部)には、前記段差状係合片を挿入可能な挿入溝と、前記係合突部を挿入可能な係合穴とが形成されて、段差状係合片および係合突部の夫々を、対応する挿入溝および係合穴に挿入した状態で基板ケースを取付部材に沿って所定方向にスライド移動することにより、段差状係合片と挿入溝とが係合して基板ケースが固定されるようになっている。すなわち、特許文献１では、第１基板ケースの段差状係合片および係合突部の夫々を対応する挿入溝および係合穴に挿入し、該第１基板ケースを所定方向にスライド移動して取付部材に固定すると共に、その後第２基板ケースの段差状係合片および係合突部の夫々を対応する挿入溝および係合穴に挿入し、該第２基板ケースを同じ方向にスライド移動して取付部材に固定することで、両基板ケースをできる限り近接させて配置し得るようになっている。
【特許文献１】特開２０００−１７６１２６号公報
【発明の開示】
【発明が解決しようとする課題】
【０００４】
前述のように、特許文献１に係る構成では、前記第１基板ケースおよび第２基板ケースを順にスライド移動させて前記取付部材に取付けるよう構成されている。すなわち、前記各基板ケースを取外すに際しては、各基板ケースを取付方向とは反対方向にスライド移動する必要がある。ここで、前記第１基板ケースの取外し方向には、前記第２基板ケースが隣接して取付けられているため、該第１基板ケースを取外すに際しては第２基板ケースを一旦取外す必要がある。このように、前記取付部材に取付けた第１基板ケースを単独で取外すことができないため、第１基板ケースの交換作業やメンテナンス作業の作業性が劣る問題がある。
そこで、本発明は、スペース効率よく複数の基板保持部材を隣接状態で配設し得ると共に、各基板保持部材を単独で着脱可能な遊技機を提供することを目的とする。
【課題を解決するための手段】
【０００５】
前記課題を克服し、所期の目的を好適に達成するため、本発明に係る遊技機は、
各種基板(29,39)を保持する第１の基板保持部材(30)および第２の基板保持部材(40)が、機裏側に形成した設置部(26,52a,54a,55a)に隣接状態で着脱自在に配設される遊技機において、
前記第１の基板保持部材(30)の側部(31c)に形成され、前記設置部(26,52a,54a,55a)へ配設した際に前記第２の基板保持部材(40)に対向する第１係合部(33)と、
前記設置部(26)に突設され、該設置部(26,52a,54a,55a)における第２の基板保持部材(40)の配設位置へ第１の基板保持部材(30)を近接させることで前記第１係合部(33)に係合し、該第２の基板保持部材(40)の配設位置から第１の基板保持部材(30)を離間させることで第１係合部(33)から離脱する第２係合部(27)と、
前記第２の基板保持部材(40)における設置部(26,52a,54a,55a)との対向面に凹設されて前記第１の基板保持部材(30)の側部(31c)側に開口し、該第２の基板保持部材(40)を設置部(26,52a,54a,55a)へ配設した際に、前記第１係合部(33)および第２係合部(27)を内側に臨ませる収容部(43)とを備えることを特徴とする。
【０００６】
また、前記第２の基板保持部材(40)は、保持する基板(39)と略整合する大きさに形成され、該基板(29,39)における前記設置部(26,52a,54a,55a)側に前記収容部(43)が位置するよう構成してもよい。
【０００７】
更に、前記第２の基板保持部材(40)における前記収容部(43)には、前記第１の基板保持部材(30)に対向する位置に第３係合部(44)を形成し、前記設置部(26,55a)には、前記第３係合部(44)と係脱自在に係合し、該第３係合部(44)との係合時に前記収容部(43)に収容される第４係合部(28)を突設してもよい。
【０００８】
更にまた、前記第１の基板保持部材(30)および第２の基板保持部材(40)は、弾性変形可能なフック部材(26a,26b)を介して前記設置部(26,52a,54a,55a)に着脱自在に取付けられるよう構成することもできる。
【発明の効果】
【０００９】
本発明の請求項１に係る遊技機によれば、第２の基板保持部材における設置部との対向面に、第１の基板保持部材に形成した第１係合部および設置部に突設した第２係合部の夫々を内側に臨ませる収容部を形成したことで、第２の基板保持部材を第２係合部と重なる状態で取付けることができる。従って、隣接状態で配設される第１の基板保持部材と第２の基板保持部材との間の間隔をできる限り小さくして、両基板保持部材を近接させることができ、スペース効率の向上を図り得る。また、前記設置部における第２の基板保持部材の配設位置へ第１の基板保持部材を近接させることで前記第１係合部と第２係合部とが係合し、該第２の基板保持部材の配設位置から第１の基板保持部材を離間させることで両係合部の係合が解除されるよう構成したから、第２の基板保持部材を設置部に取付けた状態であっても、第１の基板保持部材を単独で着脱することができる。同様に、前記第２の基板保持部材の凹所に、前記第１および第２係合部を収容するよう構成したことで、前記第１の基板保持部材を設置部に取付けた状態であっても、第２の基板保持部材を単独で着脱することが可能である。すなわち、前記設置部に対して第１および第２の基板保持部材を夫々単独で着脱することができるから、基板保持部材の交換作業やメンテナンス作業等を容易に行なうことができる。
【００１０】
そして、請求項２に係る遊技機によれば、前記第２の基板保持部材を、保持する基板と略整合する大きさに形成すると共に、該第２の基板保持部材における設置部側に前記収容部が位置するよう構成したことで、当該第２の基板保持部材を必要最小限の大きさにでき、スペースの効率化を図り得る。また、請求項３に係る遊技機によれば、前記第２の基板保持部材を設置部に取付ける第４係合部を、該第２の基板保持部材に形成した収容部に臨ませるようにしたことで、第２の基板保持部材が占有する領域をより小さくでき、スペース効率の向上を図り得る。
【発明を実施するための最良の形態】
【００１１】
次に、本発明に係る遊技機につき、好適な実施例を挙げて、添付図面を参照しながら、以下詳細に説明する。なお実施例では、パチンコ球を遊技媒体として使用する一般的なパチンコ機を例にして説明する。
【実施例】
【００１２】
図１は、実施例に係るパチンコ機を示す背面図である。実施例のパチンコ機１０は、外郭をなす外枠１１に対して、遊技盤１４を着脱交換可能に備えた中枠１２が連結支持手段および施錠手段(何れも図示せず)を利用して着脱および開閉可能に組付けられている。そして、この中枠１２の前側に、前記遊技盤１４を透視保護するガラス板を組付けた前枠や、パチンコ球を貯留する上下の球皿、その他打球発射装置等を夫々設けてある。また、図１に示すように、前記中枠１２の裏側には、パチンコ球を貯留する球貯留供給部２１や、該球貯留供給部２１のパチンコ球を賞球または貸球として前記上下の球皿に払出す球払出装置２２等を設置した機構セット盤２０が着脱自在に取付けられている。そして、この機構セット盤２０に、パチンコ機１０の全体を制御する主制御基板２３ａや、前記球払出装置２２を制御する払出制御基板２４ａ、その他各種の基板２９,３９等が夫々対応の設置部に着脱自在に配設される。また、これらの各種基板２３ａ,２４ａ,２９,３９は、透明な合成樹脂製の基板ケース(基板保持部材)２３,２４,３０,４０に保持したもとで取付けるよう構成される。なお、パチンコ機１０の側方には、貸球の払出しに供される球貸ユニット１６を設置してある。
【００１３】
次に、設置部に対して複数の基板ケースを隣接状態で着脱自在に配設する構造について説明する。なお、実施例では、前記機構セット盤２０における球払出装置２２の下方に配設された取付部材２５の設置面(設置部)２６に、前記球貸ユニット１６を接続するインターフェイス基板２９を保持した第１基板ケース(第１の基板保持部材)３０と、インターフェイス基板２９および球払出装置２２を中継接続する払出中継基板３９を保持した第２基板ケース(第２の基板保持部材)４０を隣接状態で着脱自在に配設する構造について説明する。また、以下の説明においては、図２に示すように、前記取付部材２５を正面側(パチンコ機１０の裏側)から見た状態を基準として「左」「右」を指称するものとする。すなわち、実施例では取付部材２５の右側に前記第１基板ケース３０が取付けられ、該取付部材２５の左側に前記第２基板ケース４０が取付けられる。
【００１４】
前記第１基板ケース３０は、図２または図３に示すように、前記インターフェイス基板２９の外周囲を囲繞可能な矩形枠状に形成された上下左右の壁部３１ａ,３１ｂ,３１ｃ,３１ｄと、各壁部３１ａ,３１ｂ,３１ｃ,３１ｄにおける取付部材２５(設置面２６)側の端部に連接してインターフェイス基板２９の裏面に対向する板部３２とから構成される。すなわち、前記第１基板ケース３０は、前記インターフェイス基板２９と略整合する大きさに形成される。ここで、前記第１基板ケース３０における左壁部３１ｃ(第２基板ケース４０と対向する側部)には、前記設置面２６に近接する端縁側(板部３２側)に突起部(第１係合部)３３,３３を上下に離間して突設してある。
【００１５】
また、前記第１基板ケース３０における上壁部３１ａと板部３２との連接部位には、左右方向に離間する位置に上支持部３４,３４が突設されると共に、前記下壁部３１ｂと板部３２との連接部位には、左右方向に離間する位置に下支持部３５,３５が突設されており、これら４つの支持部３４,３４,３５,３５が前記インターフェイス基板２９の裏面を支持している(図３(c)参照)。すなわち、前記インターフェイス基板２９が、前記第１基板ケース３０の板部３２に直接接触しないようになっている。なお、インターフェイス基板２９は、その裏面を上下の支持部３４,３４,３５,３５に当接させた状態で板部３２に立設したボス(図示せず)にネジ止めされる。更に、前記上壁部３１ａと、左右の壁部３１ｃ,３１ｄとの連接部位には、前記板部３２から離間する端部側に、前記インターフェイス基板２９の表面側に当接する基板押え部３６,３６が夫々突設されており、該基板押え部３６,３６によりインターフェイス基板２９が第１基板ケース３０(板部３２)から離間する方向に移動するのを規制している。なお、前記上支持部３４,３４における正面下部側には、上方に向かうにつれて前記板部３２から離間する方向に傾斜する傾斜面３４ａ,３４ａが夫々形成されており、インターフェイス基板２９を第１基板ケース３０に取付ける際に、該インターフェイス基板２９を上支持部３４,３４と基板押え部３６,３６との間に案内するようになっている。
【００１６】
図２または図４に示すように、前記第２基板ケース４０は、前記払出中継基板３９の外周囲を囲繞する矩形枠状に形成される上下左右の壁部４１ａ,４１ｂ,４１ｃ,４１ｄと、上下および左壁部４１ａ,４１ｂ,４１ｃにおける取付部材２５(設置面２６)側の端部に連接して払出中継基板３９の裏面に対向する板部４２とから構成されている。すなわち、前記第２基板ケース４０は、前記払出中継基板３９と略整合する大きさに形成される。ここで、前記板部４２の右端部は、図４(b)に示すように、第２基板ケース４０の右壁部４１ｄより内側(第１基板ケース３０の左壁部３１ｃから離間する方向)に退避するようになっている。すなわち、前記第２基板ケース４０における前記設置面２６との対向面側には、前記第１基板ケース３０の左壁部３１ｃ側に開口して、後述する第１突出部(第２係合部)２７,２７および第２突出部(第４係合部)２８を内側に臨ませ得る収容部４３が凹設される。また、この収容部４３(第２基板ケース４０の板部４２における右端部)には、上下方向の略中央位置に、前記第１基板ケース３０の左壁部３１ｃ側に突出する突出片(第３係合部)４４を形成してある。ここで、前記第２基板ケース４０の右壁部４１ｄと、前記突出片４４との間には所要の隙間が形成され、前記設置面２６に第２基板ケース４０を取付けた際に、この隙間に前記第２突出部２８が臨むよう構成される(図９参照)。
【００１７】
なお、前記第２基板ケース４０のその他の構成は、前記第１基板ケース３０と基本的に同一である。すなわち、前記第２基板ケース４０における上壁部４１ａと板部４２との連接部位、および下壁部４１ｂと板部４２との連接部位には、払出中継基板３９の裏面に当接する上支持部４５,４５および下支持部４６,４６が夫々突設されており、上下の支持部４５,４５,４６,４６に払出中継基板３９の裏面を当接させた状態(図４(c)参照)で板部４２に立設したボス(図示せず)にネジ止めされる。更に、前記第２基板ケース４０における上壁部４１ａと左右の壁部４１ｃ,４１ｄとの連接部位には、前記払出中継基板３９の表面側に当接する基板押え部４７,４７が突設され、該払出中継基板３９が板部４２から離間する方向に移動するのを規制している。なお、前記各上支持部４５における正面下部側には、上方に向かうにつれて前記板部４２から離間する方向に傾斜する傾斜面４５ａ,４５ａが形成されており、払出中継基板３９を第２基板ケース４０に取付ける際に、該払出中継基板３９を上支持部４５,４５と基板押え部４７,４７との間に案内するようになっている。
【００１８】
図５に示すように、前記取付部材２５の設置面２６には、左右方向の略中央位置に前記第１突出部２７,２７が上下に離間して突設されると共に、該第１突出部２７,２７の間に前記第２突出部２８が突設されている。また、前記第１突出部２７,２７には、前記第１基板ケース３０の突起部３３,３３を挿脱可能な第１挿入口２７ａ,２７ａが右方向(第１基板ケース３０の配設位置方向)に開口するよう開設されており、該突起部３３,３３を対応する第１挿入口２７ａ,２７ａに挿入することで、第１基板ケース３０の左側部が設置面２６から離間する方向に移動するのを規制している。すなわち、前記第１基板ケース３０を設置面２６における第２基板ケース４０の配設位置へ近接させることで、前記突起部３３,３３が対応する第１挿入口２７ａに夫々挿入されて第１突出部２７,２７と突起部３３,３３とが係合し、該第１基板ケース３０を第２基板ケース４０の配設位置から離間させることで、第１突出部２７,２７と突起部３３,３３との係合が解除されるようになっている。なお、前記各第１挿入口２７ａ,２７ａは、図６に示すように、前記取付部材２５(設置面２６)の裏側(機構セット盤２０側)に貫通するようになっており、前記第１基板ケース３０を設置面２６に対して傾斜させた状態で、前記突起部３３を第１挿入口２７ａに挿脱し得るようになっている(図８参照)。
【００１９】
前記設置面２６の右側部には、弾性変形可能な第１フック部材２６ａが形成されており、前記第１基板ケース３０の板部３２を設置面２６に当接した際に、該第１フック部材２６ａが第１基板ケース３０の右壁部３１ｄに係合するよう構成される。すなわち、前記第１基板ケース３０の右壁部３１ｄに、前記第１フック部材２６ａが係合することで、該第１基板ケース３０の右側部が設置面２６から離間する方向へ移動するのを規制している。ここで、前記第１突出部２７,２７から第１フック部材２６ａまでの左右方向の離間寸法は、前記第１基板ケース３０の左右方向の幅寸法と略合致するよう設定されており、前記突起部３３,３３を第１突出部２７,２７に係合させ、かつ該第１フック部材２６ａを第１基板ケース３０の右壁部３１ｄに係合させることで、設置面２６(取付部材２５)の所定位置に第１基板ケース３０が保持される。
【００２０】
また、前記第２突出部２８には、前記第２基板ケース４０の突出片４４を挿脱可能な第２挿入口２８ａが左方向(第２基板ケース４０の配設位置方向)に開口するよう開設されており、該突出片４４を第２挿入口２８ａに挿入することで、第２基板ケース４０の右側部が設置面２６から離間する方向に移動するのを規制している。そして、前記第２基板ケース４０を設置面２６における第１基板ケース３０の配設位置へ近接させることで、前記突出片４４が第２挿入口２８ａに挿入されて第２突出部２８に突出片４４が係合し、該第２基板ケース４０を第１基板ケース３０の配設位置から離間させることで、第２突出部２８と突出片４４との係合が解除されるようになっている。なお、前記第２挿入口２８ａは、図７に示すように、前記取付部材２５(設置面２６)の裏側(機構セット盤２０側)に貫通するようになっており、前記第２基板ケース４０を設置面２６に対して傾斜させた状態で、前記突出片４４を第２挿入口２８ａに挿脱し得るようになっている(図９参照)。
【００２１】
ここで、図８(c)または図９(c)に示すように、前記第１突出部２７,２７および第２突出部２８の左右方向の幅寸法Ｌ1,Ｌ3(図６または図７参照)は、前記第２基板ケース４０に形成した前記収容部４３の左右方向の幅寸法Ｔ1(図４(b),(c)参照)と略同一に設定されると共に、該第１突出部２７,２７および第２突出部２８の設置面２６からの突出寸法Ｌ2,Ｌ4は、該収容部４３の前後方向(第２基板ケース４０の厚さ方向)の幅寸法Ｔ2と略同一に設定される。すなわち、前記突出片４４を第２挿入口２８ａに挿入した際に、前記第１および第２突出部２７,２７,２８の夫々が収容部４３内に略完全に収容されて、第１および第２突出部２７,２７,２８と払出中継基板３９の右端部とが前後に重なるよう位置する(図２参照)。
【００２２】
また、前記設置面２６の左側部には、弾性変形可能な第２フック部材２６ｂが形成されており、前記第２基板ケース４０の板部４２を設置面２６に当接させた際に、該第２フック部材２６ｂが第２基板ケース４０の左壁部４１ｃに係合するよう構成される。すなわち、前記第２基板ケース４０の左壁部４１ｃに、前記第２フック部材２６ｂが係合することで、該第２基板ケース４０の左側部が設置面２６から離間する方向へ移動するのを規制している。ここで、前記第２突出部２８から第２フック部材２６ｂまでの左右方向の離間寸法は、前記第２基板ケース４０の左右方向の幅寸法と略合致するよう設定されており、前記突出片４４を第２突出部２８に係合させ、該第２フック部材２６ｂを第２基板ケース４０の左壁部４１ｃに係合させることで、設置面２６(取付部材２５)の所定位置に第２基板ケース４０が保持される。なお、図２または図５に示すように、前記設置面２６には、前記第１基板ケース３０および第２基板ケース４０の上下の壁部３１ａ,３１ｂ,４１ａ,４１ｂに当接する規制部材２６ｃ,２６ｃ,２６ｃ,２６ｃが夫々形成されており、該規制部材２６ｃ,２６ｃ,２６ｃ,２６ｃにより第１および第２基板ケース３０,４０の上下方向への移動を規制している。
【００２３】
〔実施例の作用〕
次に、実施例に係る遊技機の作用につき説明する。前記第１基板ケース３０を取付部材２５の設置面２６に取付けるに際しては、図８(a)に示すように、設置面２６に突設した前記第１突出部２７,２７の右側に、左壁部３１ｃ(突起部３３,３３)が設置面２６に近接するよう傾斜させた第１基板ケース３０を位置させる。そして、前記第１基板ケース３０を第２基板ケース４０の配設位置側(設置面２６の左側)に近接させて、前記突起部３３,３３の夫々を前記第１突出部２７,２７の第１挿入口２７ａ,２７ａに挿入すると共に、第１基板ケース３０の右側部を設置面２６に近接移動して、第１基板ケース３０の右壁部３１ｄを設置面２６の第１フック部材２６ａに当接させる(図８(b)参照)。この状態で、前記第１基板ケース３０の右側部を設置面２６側に更に移動することで前記第１フック部材２６ａが弾性変形し(図８(c)参照)、設置面２６に第１基板ケース３０の右側部が当接すると第１フック部材２６ａが弾性復帰して右壁部３１ｄと係合する(図８(d)参照)。これにより、前記突起部３３,３３と第１突出部２７,２７とが係合し、前記第１基板ケース３０が設置面２６(取付部材２５)に取付けられる。このとき、前記設置面２６に形成した規制部材２６ｃ,２６ｃにより第１基板ケース３０の上下方向の移動が規制されるから、該第１基板ケース３０が設置面２６(取付部材２５)から脱落することはない。
【００２４】
同様に、前記第２基板ケース４０を取付部材２５の設置面２６に取付けるに際しては、図９(a)に示すように、設置面２６に突設した前記第２突出部２８の左側に、右壁部４１ｄ(突出片４４)が設置面２６に近接するよう傾斜させた第２基板ケース４０を位置させる。そして、前記第２基板ケース４０を第１基板ケース４０の配設位置側(設置面２６の右側)に近接させて、前記突出片４４を前記第２突出部２８の第２挿入口２８ａに挿入すると共に、第２基板ケース４０の左側部を設置面２６に近接移動して、第２基板ケース４０の左壁部４１ｃを設置面２６の第２フック部材２６ｂに当接させる(図９(b)参照)。この状態で、前記第２基板ケース４０の左側部を設置面２６側に更に移動することで前記第２フック部材２６ｂが弾性変形し(図９(c)参照)、設置面２６に第２基板ケース４０の左側部が当接すると第２フック部材２６ｂが弾性復帰して左壁部４１ｃと係合する(図９(d)参照)。これにより、前記突出片４４と第２突出部２８とが係合し、前記第２基板ケース４０が設置面２６(取付部材２５)に取付けられる。このとき、前記設置面２６に形成した規制部材２６ｃ,２６ｃにより第２基板ケース４０の上下方向の移動が規制されるから、該第２基板ケース４０が設置面２６(取付部材２５)から脱落することはない。
【００２５】
ここで、前記第２基板ケース４０における設置面２６との対向面側(板部４２側)に、前記第１突出部２７,２７および第２突出部２８の夫々を内側に臨ませる収容部４３を形成し、該第２基板ケース４０を設置面２６に取付けた状態では、該収容部４３に前記第１および第２突出部２７,２８の夫々が収容されるようになっている(図２または図９(c)参照)。すなわち、前記設置面２６に隣接状態で配設した前記第１基板ケース３０と第２基板ケース４０とは、両基板ケース３０,４０の間の間隔が最小限にとなるよう近接させ得るから、スペース効率の向上を図り得る。
【００２６】
また、前記第１および第２基板ケース３０,４０を取付部材２５の設置面２６から取外すに際しては、前述した取付手順とは反対の手順により行なわれる。すなわち、前記第１基板ケース３０を取外すに際しては、前記第１フック部材２６ａを弾性変形させて第１基板ケース３０の右壁部３１ｄとの係合を解除し、該第１基板ケース３０の右壁部３１ｄ側を設置面２６から離間する方向に移動させる(図８(c)参照)。そして、前記第１基板ケース３０を右方向(第２基板ケース４０の配設位置から離間する方向)に移動することで、前記第１突出部２７,２７の第１挿入口２７ａ,２７ａから突起部３３,３３が抜き出されて(図８(b)参照)、該第１基板ケース３０を取付部材２５の設置面２６から取外すことができる(図８(a)参照)。同様に、前記第２基板ケース４０を取外すに際しては、前記第２フック部材２６ｂを弾性変形させて第２基板ケース４０の左壁部４１ｃとの係合を解除し、該第２基板ケース４０の左壁部４１ｃ側を設置面２６から離間する方向に移動させる(図９(c)参照)。そして、前記第２基板ケース４０を左方向(第１基板ケース３０の配設位置から離間する方向)に移動することで、前記第２突出部２８の第２挿入口２８ａから突出片４４が抜き出されて(図９(b)参照)、該第２基板ケース４０を取付部材２５の設置面２６から取外すことができる(図９(a)参照)。
【００２７】
このように、前記第１基板ケース３０を設置面２６に対して傾斜させた状態で第２基板ケース４０の配設位置に近接させることで、前記突起部３３,３３と第１突出部２７,２７とを係合させ得ると共に、該第１基板ケース３０を設置面２６に対して傾斜させた状態で第２基板ケース４０の配設位置から離間させることで、突起部３３,３３と第１突出部２７,２７との係合を解除し得るから、第２基板ケース４０を取付部材２５の設置面２６に取付けた状態であっても、第１基板ケース３０を単独で着脱し得る。また同様に、前記第２基板ケース４０を設置面２６に対して傾斜させた状態で第１基板ケース３０の配設位置に近接させることで、前記突出片４４と第２突出部２８とを係合させ得ると共に、該第２基板ケース４０を設置面２６に対して傾斜させた状態で第１基板ケース３０の配設位置から離間させることで、突出片４４と第２突出部２８との係合を解除し得るから、第１基板ケース３０を取付部材２５の設置面２６に取付けた状態であっても、第２基板ケース４０を単独で着脱できる。すなわち、前記取付部材２５の設置面２６に対して第１および第２基板ケース３０,４０を夫々単独で着脱することができるから、これら基板ケース３０,４０に保持した前記インターフェイス基板２９や払出中継基板３９等の交換作業やメンテナンス作業等を容易に行なうことができる。更に、前記第１および第２基板ケース３０,４０を前記設置面２６に対して傾斜させるようにしたことで、各基板ケース３０,４０に近接して他の部材を配置した場合であっても、前記第１および第２フック部材２６ａ,２６ｂを弾性変形させ得るスペースを設けることで、これら基板ケース３０,４０を着脱することができ、着脱作業に要するスペースを最小限にし得る利点もある。
【００２８】
また、実施例では、前記第１および第２基板ケース３０,４０の夫々を、対応するインターフェイス基板２９や払出中継基板３９と略整合する大きさに形成したことで、各基板ケース３０,４０を必要最小限の大きさにできる。ここで、前記第２基板ケース４０に形成される前記収容部４３は、該第２基板ケース４０に保持した払出中継基板３９の裏側(すなわち設置面２６側)に位置し、該払出中継基板３９の右端部と収容部４３とが前後に重なるよう構成してあるから、当該第２基板ケース４０を必要最小限の大きさに維持でき、スペースの効率化を図り得る。
【００２９】
なお、前記突起部３３,３３は、前記第１基板ケース３０における左側部の設置面２６側の端縁に突設すると共に、前記突出片４４は、前記第２基板ケース４０における右側部における収容部４３の設置面２６側の端縁に突設するようにしたから、これら突起部３３,３３および突出片４４と係合する前記第１および第２突出部２７,２７,２８を、取付部材２５の設置面２６から必要以上に突出させる必要がない。すなわち、第１および第２突出部２７,２７,２８の突出寸法をできる限り小さくし得るから、これら第１および第２突出部２７,２７,２８を収容する前記収容部４３の前後方向の幅寸法を最小限に抑えることができる。具体的には、前記第１基板ケース３０における左側部の設置面２６から所要距離だけ離間する位置に前記突起部３３,３３を突設し、前記第２基板ケース４０における右側部における収容部４３の設置面２６から所要距離離間する位置に前記突出片４４を突設した場合には、該突起部３３,３３および突出片４４と係合し得るよう前記第１および第２突出部２７,２７,２８を前記設置面２６から大きく突出させる必要がある。更に、前記第２基板ケース４０に関しては、前記収容部４３を第１および第２突出部２７,２７,２８を収容可能な大きさに形成すると共に、該収容部４３(第１および第２突出部２７,２７,２８)と前後に重なるよう前記払出中継基板３９を配設し得るよう構成するため、必要以上に大型化する欠点がある。すなわち、実施例のように、前記突起部３３,３３を前記第１基板ケース３０における左側部の設置面２６側の端縁に突設し、前記突出片４４を前記第２基板ケース４０における右側部における収容部４３の設置面２６側の端縁に突設することで、これら第１および第２基板ケース３０,４０を小さくでき、スペースの有効利用を図り得る利点がある。
【００３０】
〔変更例〕
なお、本発明に係る遊技機としては、実施例のものに限られず種々の変更が可能である。例えば、実施例では、取付部材(設置部)側に基板ケース(基板保持部材)を保持するフック部材を形成したが、基板ケース側に形成することも可能である。すなわち、図１０または図１１に示すように、第１基板ケース３０の右壁部３１ｄおよび第２基板ケース４０の左壁部４１ｃに弾性変形可能なフック部材５１,５１を夫々形成すると共に、該フック部材５１,５１と係脱自在に係合する係合孔５３,５３を取付部材５２の設置面(設置部)５２ａに形成した場合でも、実施例と同様の作用効果を得ることができる。なお、この場合には、前記第１基板ケース３０の右壁部３１ｄおよび第２基板ケース４０の左壁部４１ｃに当接する第２の規制部材５２ｂ,５２ｂが形成されており、これら基板ケース３０,４０が左右方向に移動してフック部材５１,５１が弾性変形されるのを防止するよう構成される。但し、前記係合孔５３に係合したフック部材５１により、前記第１および第２基板ケース３０,４０の夫々が上下方向に移動するのは規制されるから、実施例のように各基板ケース３０,４０の上下移動を規制する規制部材２６ｃを取付部材５２(設置面５２ａ)に設ける必要はない。
【００３１】
また、実施例では、第２の基板保持部材における第１の基板保持部材に対向する位置に第３係合部を形成すると共に、設置部における第１の基板保持部材を保持する第２係合部の間に該第３係合部に係合する第４係合部を形成し、第２の基板保持部材の設置部への取付け時に第２係合部と第４係合部が収容部に臨むよう構成したが、これに限られるものではなく、これら第３係合部および第４係合部の夫々は任意位置に形成することが可能である。例えば、図１２に示すように、第２基板ケース４０の下壁部４１ｂに突出片(第３係合部)４４を形成すると共に、取付部材５４の設置面(設置部)５４ａにおける下方位置に第２突出部(第４係合部)２８を形成し、第２基板ケース４０の設置面５４ａ(取付部材５４)への取付け時に、第２基板ケース４０の収容部４３に第１突出部２７,２７の夫々が臨むよう構成することで、第１および第２基板ケース３０,４０の夫々を近接して配置することができ、実施例と同様の作用効果が得られる。
【００３２】
更に、実施例では、設置部に２つの基板保持部材を隣接状態で配設した場合を例にしたが、３以上の基板保持部材を隣接状態で配設することも可能である。すなわち、設置部に３つの基板ケースを取付ける場合を例にすると、図１３に示すように、取付部材５５の設置面(設置部)５５ａに２つの第１基板ケース３０,３０を上下に隣接状態で配置すると共に、前記第２基板ケース４０を両第１基板ケース３０,３０に隣接可能な大きさに設定し、該第２基板ケース４０に、両第１基板ケース３０,３０の左壁部３１ｃ,３１ｃ側に開口するよう前記収容部４３を形成し、該収容部４３に両第１基板ケース３０,３０の突起部３３,３３,３３,３３および第１突出部２７,２７,２７,２７を臨ませるよう構成すれば、各基板ケース３０,３０,４０をスペース効率よく設置し得ると共に、設置面５５ａに対して単独で着脱することができる。なお、図１０〜図１３において、実施例と同一の機能を有する部材には同一の符号を付してある。
【００３３】
なお、実施例では、前記第１の基板保持部材にインターフェイス基板を保持すると共に、第２の基板保持部材に払出中継基板を保持するよう構成したが、これに限られるものではなく、その他遊技機に設置される各種基板を各基板保持部材に保持するようにしてもよい。また、基板保持部材の設置部として機構セット盤に着脱可能な取付部材を設けたが、該機構セット盤や遊技機裏側の任意の部位に設けられる基板保持部材の設置部に対しても本発明を採用することは可能である。更に、本発明を実施する遊技機としては、パチンコ機に限られるものではなく、スロットマシン機やアレンジボール機等であってもよく、機裏側に設けた設置部に複数の基板保持部材を隣接状態で着脱自在に配設するよう構成したものであれば何れの遊技機でもよい。
【００３４】
〔付記〕
なお、本発明に係る遊技機に関しては、以下に示す具体的構成に限定することが可能である。
請求項１〜４の何れかに記載の遊技機に関し、前記第１係合部は、前記第１の基板保持部材(30)における前記設置部(26,52a,54a,55a)との対向面側の端縁に突設された突起部(33)である。
このように、前記第１係合部を、前記第１の基板保持部材における前記設置部との対向面側の端縁に突設した突起部とすることで、前記設置部からの第２係合部の突出寸法を小さくできるから、これら第１および第２係合部が臨む収容部を最小限に抑え得る。すなわち、前記第１および第２の基板保持部材を小さくでき、スペースの有効利用を図り得る利点がある。
【図面の簡単な説明】
【００３５】
【図１】本発明の実施例に係るパチンコ機を示す背面図である。
【図２】実施例に係る取付部材に第１および第２基板ケースを取付けた状態を示す正面図である。
【図３】実施例に係る第１基板ケースを示し、(a)は正面図であり、(b)は底面図であり、(c)は(a)におけるＡ−Ａ線断面図である。
【図４】実施例に係る第２基板ケースを示し、(a)は正面図であり、(b)は底面図であり、(c)は(a)におけるＢ−Ｂ線断面図である。
【図５】実施例に係る取付部材から第１および第２基板ケースを取外した状態を示す正面図である。
【図６】図５におけるＣ−Ｃ線断面図である。
【図７】図５におけるＤ−Ｄ線断面図である。
【図８】実施例に係る取付部材に第２基板ケースを取付けたもとで、該取付部材に第１基板ケースを着脱する状態を示す説明図である。
【図９】実施例に係る取付部材に第１基板ケースを取付けたもとで、該取付部材に第２基板ケースを着脱する状態を示す説明図である。
【図１０】変更例に係る取付部材に第１および第２基板ケースを取付けた状態を示す正面図である。
【図１１】図１０におけるＥ−Ｅ線断面図である。
【図１２】別の変更例に係る取付部材に第１および第２基板ケースを取付けた状態を示す正面図である。
【図１３】更に別の変更例に係る取付部材に第１および第２基板ケースを取付けた状態を示す正面図である。
【符号の説明】
【００３６】
２６  設置面(設置部)
２６ａ  第１フック部材(フック部材)
２６ｂ  第２フック部材(フック部材)
２７  第１突出部(第２係合部)
２８  第２突出部(第４係合部)
２９  インターフェイス基板(基板)
３０  第１基板ケース(第１の基板保持部材)
３１ｃ  左壁部(第１の基板保持部材の側部)
３３  突起部(第１係合部)
３９  払出中継基板(基板)
４０  第２基板ケース(第２の基板保持部材)
４３  収容部
４４  突出片(第３係合部)
５２ａ  設置面(設置部)
５４ａ  設置面(設置部)
５５ａ  設置面(設置部)
【図１】
2006122345.tif 000003
【図２】
2006122345.tif 000004
【図３】
2006122345.tif 000005
【図４】
2006122345.tif 000006
【図５】
2006122345.tif 000007
【図６】
2006122345.tif 000008
【図７】
2006122345.tif 000009
【図８】
2006122345.tif 000010
【図９】
2006122345.tif 000011
【図１０】
2006122345.tif 000012
【図１１】
2006122345.tif 000013
【図１２】
2006122345.tif 000014
【図１３】
2006122345.tif 000015